【手続補正書】
【提出日】平成19年7月24日(2007.7.24)
【手続補正１】
【補正対象書類名】特許請求の範囲
【補正対象項目名】全文
【補正方法】変更
【補正の内容】
【特許請求の範囲】
【請求項１】
映像を表示する表示パネル及び前記表示パネルに光を提供するランプを収納する収納ユニットであって、
底面及び前記底面のエッジから上部に延長された第１側面からなる収納部材と、
前記収納部材と分離可能で、連結手段を通じて前記収納部材に結合され、第１ホールが形成された締結部材と、
上部面及び前記上部面から折曲されて延長された第２側面を含み、前記第１ホールと対応する第２ホールが形成された第１締結部を有するカバー部材と、
を含む表示モジュール用収納ユニット。
【請求項２】
前記締結部材は、
前記収納部材のコーナーに配置されている本体部と、
前記本体部の側面から外側に延長され、前記第１ホールが形成された第２締結部と、
を含むことを特徴とする、請求項１記載の表示モジュール用収納ユニット。
【請求項３】
前記第２締結部は、前記本体部の上部面と下部面との間に配置されることを特徴とする、請求項２記載の表示モジュール用収納ユニット。
【請求項４】
前記第１側面は前記コーナーで前記本体部と前記第２締結部とを露出するために除去されていることを特徴とする、請求項２記載の表示モジュール用収納ユニット。
【請求項５】
前記本体部は前記底面の角で折曲していることを特徴とする、請求項２記載の表示モジュール用収納ユニット。
【請求項６】
前記第１締結部は、前記カバー部材のコーナーに配置されて前記第２締結部と対向していることを特徴とする、請求項２記載の表示モジュール用収納ユニット。
【請求項７】
前記本体部の上部面に結合された支持部材をさらに含むことを特徴とする、請求項２記載の表示モジュール用収納ユニット。
【請求項８】
前記支持部材は前記第１底面の角で折曲していることを特徴とする、請求項７記載の表示モジュール用収納ユニット。
【請求項９】
前記支持部材は前記締結部材に一体に形成されていることを特徴とする、請求項７記載の表示モジュール用収納ユニット。
【請求項１０】
光を発生するランプと、
第１底面及び前記第１底面のエッジから上部に延長された第１側面からなり、前記ランプを収納するための第１収納部材と、
前記第１収納部材と分離可能で、連結手段を通じて前記第１収納部材に結合され、第１ホールが形成された締結部材と、
前記光を利用して映像を表示する表示パネルと、
上部面及び前記上部面のエッジから下部に延長された第２側面からなり、前記表示パネルをカバーし、前記第１ホールと対応する第２ホールが形成された第１締結部を有するカバー部材と、
を含むことを特徴とする表示モジュール。
【請求項１１】
前記締結部材は、
前記第１収納部材のコーナーに配置される本体部と、
前記本体部の側面から外側に延長され、前記第１ホールが形成された第２締結部と、
を含むことを特徴とする、請求項１０記載の表示モジュール。
【請求項１２】
前記第２締結部は、前記本体部の上部面と下部面との間に配置されることを特徴とする、請求項１１記載の表示モジュール。
【請求項１３】
前記第１側面は、前記コーナーで前記本体部と前記第２締結部とを露出するために除去されていることを特徴とする、請求項１１記載の表示モジュール。
【請求項１４】
前記本体部は前記第１底面の角で折曲していることを特徴とする、請求項１１記載の表示モジュール。
【請求項１５】
前記第１締結部は、前記カバー部材のコーナーに配置されて前記第２締結部と対向していることを特徴とする、請求項１１記載の表示モジュール。
【請求項１６】
前記本体部の上部面に結合され、前記表示パネルを支持するための支持部材をさらに含むことを特徴とする、請求項１１記載の表示モジュール。
【請求項１７】
前記支持部材は、前記第１底面の角で折曲していることを特徴とする、請求項１６記載の表示モジュール。
【請求項１８】
前記支持部材は前記締結部材に一体に形成されていることを特徴とする、請求項１６記載の表示モジュール。
【請求項１９】
前記収納部材と結合し、前記表示パネルの端部が載置される一つ以上の部分に分離された中間部材をさらに含むことを特徴とする、請求項１０記載の表示モジュール。
【請求項２０】
前記中間部材は前記締結部材の端部と重複し、スクリューによって前記端部で前記締結部材と結合することを特徴とする、請求項１９記載の表示モジュール。
【請求項２１】
前記第１収納部材に収納され、前記ランプの両端部を収納して前記ランプを指定された位置に固定するための第２収納部材と、
前記第２収納部材と結合して前記ランプの両端部をカバーするランプカバー部材と、
をさらに含むことを特徴とする請求項１０記載の表示モジュール。
【請求項２２】
前記表示パネルは液晶表示パネルであることを特徴とする、請求項１０記載の表示モジュール。
【請求項２３】
光を発生するランプと、
底面及び前記底面から延長された第１側面からなり前記ランプを収納するための収納部材と、
前記収納部材に結合され第１ホールが形成された締結部材と、
前記ランプの上部に設けられ、前記光を利用して映像を表示する表示パネルと、
上部面及び前記上部面から延長された第２側面からなり、前記表示パネルをカバーし、前記第１ホールと対応する第２ホールが形成された第１締結部を有するカバー部材を含む表示モジュールと、
前記表示モジュールをカバーし、前記第１及び第２ホールに対応する締結溝が形成された第２締結部を有するケースと、
を含むことを特徴とする表示装置。
【請求項２４】
前記ケースは、
前記表示モジュールを収納するリヤケースと、
前記リヤケースと対向して結合し、前記表示モジュールをカバーするフロントケースと、
を含むことを特徴とする請求項２３記載の表示装置。
【請求項２５】
前記第２締結部は前記リヤケースに設けられていることを特徴とする、請求項２４記載の表示装置。
【請求項２６】
前記リヤケースは、前記第２及び第１ホールを順次に貫いた後、前記締結溝に締結されるスクリューによって前記表示モジュールに結合されることを特徴とする請求項２５記載の表示装置。
【手続補正２】
【補正対象書類名】明細書
【補正対象項目名】０００９
【補正方法】変更
【補正の内容】
【０００９】
前記課題を解決するために、本願発明は、映像を表示する表示パネル及び前記表示パネルに光を提供するランプを収納する表示モジュール用収納ユニットを提供する。このユニットは、下記の構成要素を含む。
・底面及び前記底面のエッジから上部に延長された第１側面からなる収納部材、
・前記収納部材と分離可能で、連結手段を通じて前記収納部材に結合され、第１ホールが形成された締結部材、
・上部面及び前記上部面から折曲されて延長された第２側面を含み、前記第１ホールと対応する第２ホールが形成された第１締結部を有するカバー部材。
【手続補正３】
【補正対象書類名】明細書
【補正対象項目名】００２０
【補正方法】変更
【補正の内容】
【００２０】
本発明の別の形態は、下記の構成要素を有する表示モジュールを提供する。
・光を発生するランプ、
・第１底面及び前記第１底面のエッジから上部に延長された第１側面からなり、前記ランプを収納するための第１収納部材、
・前記第１収納部材と分離可能で、連結手段を通じて前記第１収納部材に結合され、第１ホールが形成された締結部材、
・前記光を利用して映像を表示する表示パネル、
・上部面及び前記上部面のエッジから下部に延長された第２側面からなり、前記表示パネルをカバーし、前記第１ホールと対応する第２ホールが形成された第１締結部を有するカバー部材。